(57)【要約】【課題】本発明は、同一面内で異なる加工を行う必要がなく、簡便に製造することができると共に、一般的にユーザ側となる個人情報記入者側で廃棄物が発生することがない隠蔽はがきを提供することを課題とする。【解決手段】剥離基材２と、疑似接着層４で剥離基材２の一方の面に裏面が疑似接着され、表面に個人情報を記入するための個人情報記入用表記６が表示されている第１の表面基材１と、裏面に塗布された再剥離粘着剤５によって、剥離基材２の他方の面に仮着されている第２の表面基材３とを備え、第２の表面基材３を剥離基材２から剥がして、第１の表面基材１の表面に貼着させることで、第１の表面基材１の表面に記入した個人情報を隠蔽可能とする。また、第２の表面基材３の表面に、個人情報を受け付ける個人情報受付者の宛先を示す返信用表記８を表示する。【選択図】        図１
2010052343.tif 000002
【特許請求の範囲】
【請求項１】
記入した個人情報を隠蔽可能な隠蔽はがきであって、
剥離基材と、
疑似接着層で前記剥離基材の一方の面に裏面が疑似接着され、表面に前記個人情報を記入するための個人情報記入用表記が表示されている第１の表面基材と、
裏面に塗布された粘着剤によって、前記剥離基材の他方の面に仮着され、前記第１の表面基材と略同一サイズの第２の表面基材とを具備することを特徴とする隠蔽はがき。
【請求項２】
前記第２の表面基材の表面には、前記個人情報を受け付ける個人情報受付者の宛先を示す返信用表記が表示されていることを特徴とする請求項１記載の隠蔽はがき。
【請求項３】
前記第１の表面基材の表面には、前記個人情報を記入する個人情報記入者の宛先を示す往信用表記が表示され、
前記剥離基材の前記第２の表面基材が仮着されている面には、返信用表記が表示されていることを特徴とする請求項１記載の隠蔽はがき。
【請求項４】
前記第１の表面基材は、透明もしくは半透明であることを特徴とする請求項１乃至３のいずれかに記載の隠蔽はがき。
【発明の詳細な説明】
【技術分野】
【０００１】
本発明は、記入した個人情報を隠蔽可能な隠蔽はがきに関するものである。
【背景技術】
【０００２】
従来、他人が個人情報を視認できないように、記入した個人情報を隠蔽可能な隠蔽葉書が存在しており、例えば、はがき本体と、内面に粘着剤が塗布された隠蔽用紙片とを折畳み可能に接合し、はがき本体の内面に記入した個人情報上に、隠蔽用紙片を貼着させることで、記入した個人情報を隠蔽する隠蔽葉書が提案されている（例えば、特許文献１参照）。
【０００３】
しかしながら、従来技術では、はがき本体と隠蔽用紙片とが接合されているため、同一面内であるはがき本体の内面と隠蔽用紙片の内面とに異なる加工を施す必要があり、製造工程が煩雑になってしまうと共に、隠蔽用紙片の内面に仮着されている剥離基材を、一般的にユーザ側となる個人情報記入者側で処分しなければならないという問題点があった。
【０００４】
【特許文献１】特開２００６−２６３９９３号公報
【発明の開示】
【発明が解決しようとする課題】
【０００５】
本発明は斯かる問題点に鑑みてなされたものであり、その目的とするところは、同一面内で異なる加工を行う必要がなく、簡便に製造することができると共に、一般的にユーザ側となる個人情報記入者側で廃棄物が発生することがない隠蔽はがきを提供する点にある。
【課題を解決するための手段】
【０００６】
本発明は上記課題を解決すべく、以下に掲げる構成とした。
請求項１記載の発明の要旨は、記入した個人情報を隠蔽可能な隠蔽はがきであって、剥離基材と、疑似接着層で前記剥離基材の一方の面に裏面が疑似接着され、表面に前記個人情報を記入するための個人情報記入用表記が表示されている第１の表面基材と、裏面に塗布された粘着剤によって、前記剥離基材の他方の面に仮着され、前記第１の表面基材と略同一サイズの第２の表面基材とを具備することを特徴とする隠蔽はがきに存する。
また請求項２記載の発明の要旨は、前記第２の表面基材の表面には、前記個人情報を受け付ける個人情報受付者の宛先を示す返信用表記が表示されていることを特徴とする請求項１記載の隠蔽はがきに存する。
また請求項３記載の発明の要旨は、前記第１の表面基材の表面には、前記個人情報を記入する個人情報記入者の宛先を示す往信用表記が表示され、前記剥離基材の前記第２の表面基材が仮着されている面には、返信用表記が表示されていることを特徴とする請求項１記載の隠蔽はがきに存する。
また請求項４記載の発明の要旨は、前記第１の表面基材は、透明もしくは半透明であることを特徴とする請求項１乃至３のいずれかに記載の隠蔽はがきに存する。
【発明の効果】
【０００７】
本発明の隠蔽はがきは、剥離基材と、疑似接着層で剥離基材の一方の面に裏面が疑似接着され、表面に個人情報を記入するための個人情報記入用表記が表示されている第１の表面基材と、裏面に塗布された粘着剤によって、剥離基材の他方の面に仮着されている第２の表面基材とを備えることにより、個人情報を記入する第１の表面基材の表面と粘着剤が塗布された第２の表面基材の裏面とが同一面でないため、同一面内で異なる加工を行う必要がなく、簡便に製造することができると共に、第２の表面基材を剥離させても、剥離基材は、第１の表面基材の裏面に疑似接着されて、第１の表面基材の裏面側からの視認を防止しているため、一般的にユーザ側となる個人情報記入者側で廃棄物が発生することがないという効果を奏する。
【０００８】
さらに、本発明の隠蔽はがきは、第２の表面基材の表面に、個人情報を受け付ける個人情報受付者の宛先を示す返信用表記を表示するように構成することにより、個人情報記入者は、第１の表面基材の表面に個人情報を記入した後、第２の表面基材を貼着するだけで、返信することができるという効果を奏する。
【０００９】
さらに、本発明の隠蔽はがきは、第１の表面基材の表面に、個人情報を記入する個人情報記入者の宛先を示す往信用表記を表示すると共に、剥離基材の第２の表面基材が仮着されている面に、返信用表記を表示するように構成することにより、剥離基材に表示された返信用表記を第２の表面基材によって隠蔽した状態で、第１の表面基材の表面に表示された往信用表記に基づいて個人情報記入者に発送できると共に、個人情報を記入し、第２の表面基材によって隠蔽した後は、第１の表面基材の表面に表示された往信用表記を第２の表面基材によって隠蔽した状態で、剥離基材に表示された返信用表記に基づいて個人情報受付者に発送できるという効果を奏する。
【００１０】
さらに、本発明の隠蔽はがきは、第１の表面基材として、透明もしくは半透明の素材を用いることにより、第１の表面基材の表面に第２の表面基材を貼着させた状態でも、剥離基材を剥がすことで、第１の表面基材の表面に記入された個人情報を裏面側から視認することができるため、第２の表面基材を再剥離させる必要がなく、第２の表面基材の裏面に塗布された粘着剤の選定を容易に行うことができるという効果を奏する。
【発明を実施するための最良の形態】
【００１１】
以下、本発明の実施の形態を図面に基づいて詳細に説明する。
【００１２】
（第１の実施の形態）
図１は、本発明に係る隠蔽はがきの第１の実施の形態の構成を示す図であり、（ａ）は、第１の表面基材側から見た平面図であり、（ｂ）は、側面図であり、（ｃ）は、第２の表面基材側から見た平面図である。
【００１３】
第１の実施の形態の隠蔽はがき１０は、アンケートの回答や住所氏名等の個人情報を記入して発送する、官製はがきと略同一寸法のはがきであり、図１を参照すると、第１の表面基材１と、剥離基材２と、第１の表面基材１と略同一サイズの第２の表面基材３とが積層され、疑似接着層４によって、第１の表面基材１の裏面が剥離基材２の一方の面に疑似接着されていると共に、第２の表面基材３の裏面に塗布された再剥離粘着剤５によって、第２の表面基材３の裏面が剥離基材２の他方の面に仮着されている。なお、図１（ｂ）に示す側面図においては、説明のために厚み方向を拡大して記載している。
【００１４】
第１の表面基材１には、紙基材やフィルム基材等の任意基材を用いることができ、図１（ａ）を参照すると、表面には、アンケートの回答欄や住所示す記入欄等の個人情報を記入するための個人情報記入用表記６と、隠蔽はがき１０の使用方法等を説明する案内表記７とが表示されている。なお、個人情報記入用表記６および案内表記７は、予め印刷しておくようにしても良く、また、プリンタを用いて印字するようにしても良い。
【００１５】
第２の表面基材３には、紙基材やフィルム基材等の任意基材を用いることができ、図１（ｃ）を参照すると、表面には、アンケート実施者等の個人情報を受け付ける個人情報受付者の宛先（住所）が示されている返信用表記８が表示されていると共に、端部の一部に切り欠き３ａが形成されている。なお、返信用表記８は、予め印刷しておくようにしても良く、また、プリンタを用いて印字するようにしても良い。
【００１６】
剥離基材２には、紙基材やフィルム基材等の任意基材を用いることができ、少なくとも第２の表面基材３が仮着されている他方の面には、シリコーン樹脂等の剥離剤が塗布された剥離加工が施されている。なお、シリコーン樹脂として、溶剤型、無溶剤型、エマルジョン型のいずれを用いるようにしても良く、また、剥離基材２の材質に応じて、剥離剤の剥離基材２への染み込みを防止するポリエチレン等の目留め層を設けるようにしても良い。
【００１７】
疑似接着層４としては、例えばアクリル酸エステルワニス、ポリアミドワニス等の樹脂含有液体ワニスを用いることができ、例えば強接着力を持つ第１樹脂層と、弱接着力を持つ第２樹脂層で構成される。第１の表面基材１の裏面と剥離基材２の一方の面とを疑似接着するには、第１樹脂層を形成する樹脂含有液体ワニスを予め第１の表面基材１の裏面にコーティングして乾燥させ、次に、第１樹脂層に、第２樹脂層を形成する樹脂含有液体ワニスをコーティングして乾燥する前に剥離基材２の一方の面を貼り付ける。これにより、第１の表面基材１の裏面と剥離基材２の一方の面とは、剥離性を有すると共に剥離すると第１の表面基材１の裏面および剥離基材２の一方の面における接着力がなくなる。また、疑似接着層４としては、例えばポリエチレン、ポリプロピレンなどの熱可塑性樹脂からなるものや圧着糊と呼ばれるもの等を用いることができる。
【００１８】
再剥離粘着剤５は、被着体に貼着した後、剥がすことが可能な粘着剤であり、例えばエマルジョン系、ソルベント系、ホットメルト系のように任意のタイプの粘着剤が使用可能であると共に、素材も、アクリル系、ゴム系など任意であり、例えば、バインダー成分と粘着性微球成分等が混合され、貼着面への貼着と再剥離とを容易に行うことができるように調整されている。
【００１９】
次に、本実施の形態の使用方法について図２を参照して詳細に説明する。
図２は、本発明に係る隠蔽はがきの第１の実施の形態の使用方法を説明するための説明図である。
【００２０】
まず、個人情報受付者が隠蔽はがき１０を、封書や商品等に同梱し、アンケート回答者等の個人情報を記入する個人情報記入者に届け、隠蔽はがき１０を受け取った個人情報記入者は、第１の表面基材１の表面に表示されている個人情報記入用表記６にアンケートの回答や住所氏名等の個人情報を記入し、隠蔽はがき１０の使用方法が示されている案内表記７を参照することで、以下に示す手順を実行して発送する。
【００２１】
個人情報記入者は、図２（ａ）に示すように、第２の表面基材３を剥離基材２から剥離させる。なお、第２の表面基材３には、切り欠き３ａが形成されているため、切り欠き３ａを起点として第２の表面基材３を剥離基材２から簡単に剥離させることができるようになっている。
【００２２】
次に、個人情報記入者は、図２（ｂ）に示すように、剥離させた第２の表面基材３を、裏面に塗布された再剥離粘着剤５を用いて、個人情報を記入した第１の表面基材１の表面に貼着させ、はがき単体として投函して発送する。これにより、第１の表面基材１の表面に記入された個人情報は、隠蔽されることになり、裏面に再剥離粘着剤５が塗布された第２の表面基材３は、隠蔽用シールとして機能する。また、第２の表面基材３の表面には、返信用表記８が表示されているため、そのまま発送することが可能になる。さらに、第１の表面基材１の裏面には、疑似接着層４によって剥離基材２の一方の面に疑似接着されているため、第１の表面基材１の裏面側から透かしたり、筆圧をなぞったりすることで、表面に記入した個人情報が読みとられるのを、疑似接着層４および剥離基材２によって確実に防止することができる。
【００２３】
次に、個人情報が記入された隠蔽はがき１０を個人情報記入者から受け取った個人情報受付者は、第１の表面基材１の表面から第２の表面基材３を剥離させ、第１の表面基材１の表面を表出されることで、記入されている個人情報を簡単に視認することができる。なお、個人情報受付者が記入された個人情報を保管する場合には、第１の表面基材１を剥離基材２から剥離させることで、表面に個人情報が記入された第１の表面基材１のみを保管すれば良く、保管する際の用紙量を抑えることができる。
【００２４】
（第２の実施の形態）
図３は、本発明に係る隠蔽はがきの第２の実施の形態の構成を示す図であり、（ａ）は、第１の表面基材側から見た平面図であり、（ｂ）は、側面図であり、（ｃ）は、第２の表面基材側から見た平面図である。図４は、本発明に係る隠蔽はがきの第２の実施の形態の使用方法を説明するための説明図である。
【００２５】
第２の実施の形態の隠蔽はがき２０は、図３を参照すると、第１の表面基材１の表面の表示が、個人情報記入用表記６と、個人情報記入者の宛先を示す往信用表記９とであると共に、第２の表面基材３の表面の表示が案内表記７であり、さらに、剥離基材２の第２の表面基材３が仮着されている他方の面に返信用表記８が表示されている点で、第１の実施の形態と異なっており、第１の表面基材１の表面に往信用表記９が表示されているため、個人情報受付者から個人情報記入者に隠蔽はがき２０をそのまま発送することができるようになっている。なお、返信用表記８は、第２の表面基材３によって隠蔽された状態となっているため、往信用表記９と混同されることがない。また、図３（ｂ）に示す側面図においては、説明のために厚み方向を拡大して記載している。
【００２６】
隠蔽はがき２０を受け取った個人情報記入者は、第１の表面基材１の表面に表示されている個人情報記入用表記６にアンケートの回答や住所氏名等の個人情報を記入し、隠蔽はがき２０の使用方法が示されている案内表記７を参照することで、図４（ａ）に示すように、第２の表面基材３を剥離基材２から剥離させ、第１の実施の形態と同様に、剥離させた第２の表面基材３を、裏面に塗布された再剥離粘着剤５を用いて、個人情報を記入した第１の表面基材１の表面に貼着させ、はがき単体として投函して発送する。これにより、第２の表面基材３を剥離基材２から剥離させることで、図４（ｂ）に示すように、返信用表記８が表出されると共に、往信用表記９が第２の表面基材３によって隠蔽されるため、返信用表記８に基づいて、個人情報が記入されて隠蔽された隠蔽はがき２０が配送されることになる。なお、第２の実施の形態の隠蔽はがき２０を用いた場合には、個人情報記入用表記６と往信用表記９とが同一の面に表示されているため、個人情報記入用表記６への記入に際し、往信用表記９と同一の内容、すなわち住所氏名等を省略することが可能になる。
【００２７】
（第３の実施の形態）
図５は、本発明に係る隠蔽はがきの第３の実施の形態の構成を示す図であり、（ａ）は、第１の表面基材側から見た平面図であり、（ｂ）は、側面図であり、（ｃ）は、第２の表面基材側から見た平面図である。図６は、本発明に係る隠蔽はがきの第３の実施の形態の使用方法を説明するための説明図である。
【００２８】
第３の実施の形態の隠蔽はがき３０は、図５を参照すると、透明もしくは半透明の第１の表面基材３１と、剥離基材２と、第２の表面基材３とが積層され、疑似接着層４によって、第１の表面基材３１の裏面が剥離基材２の一方の面に疑似接着されていると共に、再剥離機能を有していない粘着剤３５によって、第２の表面基材３の裏面が剥離基材２の他方の面に仮着されている。なお、図５（ｂ）に示す側面図においては、説明のために厚み方向を拡大して記載している。また、第１の実施の形態と同一の構成は、同一の符号を付与し、説明を省略する。
【００２９】
第１の表面基材３１には、紙基材やフィルム基材等の透明もしくは半透明の基材が用いられ、図５（ａ）を参照すると、表面には、アンケートの回答欄や住所示す記入欄等の個人情報を記入するための個人情報記入用表記６と、隠蔽はがき１０の使用方法等を説明する案内表記７とが表示されている。なお、個人情報記入用表記６および案内表記７は、予め印刷しておくようにしても良く、また、プリンタを用いて印字するようにしても良い。
【００３０】
粘着剤３５は、例えばエマルジョン系、ソルベント系、ホットメルト系のように任意の粘着剤が使用可能であると共に、素材も、アクリル系、ゴム系など任意であり、再剥離の必要がないため、粘着力の設定を容易に行うことができる。
【００３１】
第３の実施の形態の隠蔽はがき３０は、図６（ａ）に示すように、第１の実施の形態と同様な使用方法で、裏面に塗布された粘着剤３５を用いて、第２の表面基材３が個人情報を記入した第１の表面基材３１の表面に貼着された状態で個人情報受付者に届けられる。
【００３２】
個人情報が記入された隠蔽はがき３０を個人情報記入者から受け取った個人情報受付者は、図６（ｂ）に示すように、剥離基材２を第１の表面基材３１の裏面から剥離させ、第１の表面基材３１の裏面を表出させる。これにより、図６（ｃ）に示すように、第１の表面基材３１の表面に貼着された第２の表面基材３を剥離させることなく、第１の表面基材３１の裏面から記入された個人情報を視認することが可能になる。なお、第１の表面基材３１の裏面からは、個人情報が左右反転された状態で視認されることになるが、例えば、スキャナで読みとって、画像を左右反転させることで容易に読みとることができる。
【００３３】
以上説明したように、本実施の形態によれば、剥離基材２と、疑似接着層４で剥離基材２の一方の面に裏面が疑似接着され、表面に個人情報を記入するための個人情報記入用表記６が表示されている第１の表面基材１と、裏面に塗布された再剥離粘着剤５によって、剥離基材２の他方の面に仮着されている第２の表面基材３とを備えることにより、個人情報を記入する第１の表面基材１の表面と再剥離粘着剤５が塗布された第２の表面基材３の裏面とが同一面でないため、同一面内で異なる加工を行う必要がなく、簡便に製造することができると共に、第２の表面基材３を剥離させても、剥離基材２は、第１の表面基材１の裏面に疑似接着されて、第１の表面基材１の裏面側からの視認を防止しているため、一般的にユーザ側となる個人情報記入者側で廃棄物が発生することがないという効果を奏する。
【００３４】
さらに、本実施の形態によれば、第２の表面基材３の表面に、個人情報を受け付ける個人情報受付者の宛先を示す返信用表記８を表示するように構成することにより、個人情報記入者は、第１の表面基材１の表面に個人情報を記入した後、第２の表面基材３を貼着するだけで、返信することができるという効果を奏する。
【００３５】
さらに、本実施の形態によれば、第１の表面基材１の表面に、個人情報を記入する個人情報記入者の宛先を示す往信用表記９を表示すると共に、剥離基材２の第２の表面基材３が仮着されている面に、返信用表記８を表示するように構成することにより、剥離基材２に表示された返信用表記８を第２の表面基材３によって隠蔽した状態で、第１の表面基材１の表面に表示された往信用表記９に基づいて個人情報記入者に発送できると共に、個人情報を記入し、第２の表面基材３によって隠蔽した後は、第１の表面基材１の表面に表示された往信用表記９を第２の表面基材３によって隠蔽した状態で、剥離基材２に表示された返信用表記８に基づいて個人情報受付者に発送できるという効果を奏する。
【００３６】
さらに、本実施の形態によれば、第１の表面基材１として、透明もしくは半透明の素材を用いることにより、第１の表面基材１の表面に第２の表面基材３を貼着させた状態でも、剥離基材２を剥がすことで、第１の表面基材１の表面に記入された個人情報を裏面側から視認することができるため、第２の表面基材３を再剥離させる必要がなく、第２の表面基材３の裏面に塗布された粘着剤３５の選定を容易に行うことができるという効果を奏する。
【００３７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００３８】
【図１】本発明に係る隠蔽はがきの第１の実施の形態の構成を示す図であり、（ａ）は、第１の表面基材側から見た平面図であり、（ｂ）は、側面図であり、（ｃ）は、第２の表面基材側から見た平面図である。
【図２】本発明に係る隠蔽はがきの第１の実施の形態の使用方法を説明するための説明図である。
【図３】本発明に係る隠蔽はがきの第２の実施の形態の構成を示す図であり、（ａ）は、第１の表面基材側から見た平面図であり、（ｂ）は、側面図であり、（ｃ）は、第２の表面基材側から見た平面図である。
【図４】本発明に係る隠蔽はがきの第２の実施の形態の使用方法を説明するための説明図である。
【図５】本発明に係る隠蔽はがきの第３の実施の形態の構成を示す図であり、（ａ）は、第１の表面基材側から見た平面図であり、（ｂ）は、側面図であり、（ｃ）は、第２の表面基材側から見た平面図である。
【図６】本発明に係る隠蔽はがきの第３の実施の形態の使用方法を説明するための説明図である。
【符号の説明】
【００３９】
１  第１の表面基材
２  剥離基材
３  第２の表面基材
３ａ  切り欠き
４  疑似接着層
５  再剥離粘着剤
６  個人情報記入用表記
７  案内表記
８  返信用表記
９  往信用表記
１０  隠蔽はがき（第１の実施の形態）
２０  隠蔽はがき（第２の実施の形態）
３０  隠蔽はがき（第３の実施の形態）
３１  第１の表面基材
３５  粘着剤
【図１】
2010052343.tif 000003
【図２】
2010052343.tif 000004
【図３】
2010052343.tif 000005
【図４】
2010052343.tif 000006
【図５】
2010052343.tif 000007
【図６】
2010052343.tif 000008